(57)【要約】【課題】中間方向がグリッド表面に垂直な方向と交差する２つの照射方向から放射線が照射される散乱線吸収グリッドにおいて、視差方向成分を含む散乱線を除去しつつ、透過率の低下および大型化を回避して両方向の透過率を同等にする。【解決手段】各遮蔽部材５１が、板状部材であって中間方向Ｄ３をグリッド表面に投影した投影方向に間隔をあけて配置され、且つ一方の照射方向Ｄ１から照射された放射線のうち間隙を透過する放射線の割合と、他方の照射方向Ｄ２から照射された放射線のうち間隙を透過する放射線の割合とが同等となるように配置する。【選択図】図４
2012205782.tif 000002
【特許請求の範囲】
【請求項１】
放射線吸収材料からなる複数の遮蔽部材がそれぞれの間に所定の間隔をあけて配置された散乱線吸収グリッドであって、
その中間方向が前記散乱線吸収グリッドの表面に直交する方向と交差する２つの照射方向から放射線が照射されるものであり、
前記複数の遮蔽部材が、板状部材であって前記中間方向を前記表面に投影した投影方向に前記間隔をあけて配置され、且つ一方の照射方向から照射された放射線のうち前記間隙を透過する放射線の割合と、前記他方の照射方向から照射された放射線のうち前記間隙を透過する放射線の割合とが同等となるように配置されていることを特徴とする散乱線吸収グリッド。
【請求項２】
前記各遮蔽部材が、前記中間方向の軸上の１点に収束するように、傾けて配置されていることを特徴とする請求項１に記載の散乱線吸収グリッド。
【請求項３】
前記２つの照射方向から照射された放射線を検出する放射線検出器の表面に一体化されていることを特徴とする請求項１または２に記載の散乱線吸収グリッド。
【請求項４】
前記一方の照射方向と前記他方の照射方向とのなす角度が、２°〜８°の範囲であることを特徴とする請求項１〜３のいずれか１項に記載の散乱線吸収グリッド。
【請求項５】
前記一方の照射方向が、前記表面に直交する方向であることを特徴とする請求項１〜４のいずれか１項に記載の散乱線吸収グリッド。
【請求項６】
前記他方の照射方向が、前記表面に直交する方向とのなす角度が４°であることを特徴とする請求項１〜５のいずれか１項に記載の散乱線吸収グリッド。
【発明の詳細な説明】
【技術分野】
【０００１】
本発明は放射線撮影装置に使用される散乱線吸収グリッドに関する。より詳しくは、異なる２つの撮影方向から放射線を照射して撮影する放射線撮影装置に使用される散乱線吸収グリッドに関する。
【背景技術】
【０００２】
放射線撮影装置において、撮影の際に被写体と放射線検出器との間に散乱線吸収グリッドを配置することにより、被写体によって散乱された散乱線を吸収してＳ／Ｎの高い放射線を検出することが知られている。この散乱線吸収グリッドは、被写体に対して略垂直方向から臨む基準位置に放射線源が位置するものとして、当該放射線源に向けて収束するように配置される、放射線吸収材料からなる多数の遮蔽部材から構成されることが一般的である。
【０００３】
このような散乱線吸収グリッドによれば、被写体によって散乱されて斜めに進む放射線（以下、散乱線という。）は遮蔽部材に吸収され、放射線源から被写体を通して直線的に放射線検出器に進む放射線（以下、直接線という。）のみが透過して放射線検出器に到達する。
【０００４】
ところで、近年では診断をより行い易くするため、被写体に異なる２つ以上の方向から放射線を照射して被写体を透過した放射線を放射線検出器によりそれぞれ検出し、互いに視差のある放射線画像を取得することにより、立体視可能な放射線画像を撮影する放射線撮影装置が知られている。
【０００５】
このような立体視可能な放射線画像を撮影できる放射線装置に、通常撮影に使用される平面視用の散乱線吸収グリッド（以下、通常撮影用のグリッドという。）を使用すると、放射線源が上記の基準位置からずれて放射線を照射する場合、放射線の照射方向と遮蔽部材の配置がずれているため、直接線の一部が遮蔽部材によってけられてしまう。
【０００６】
また、立体視可能な放射線画像の撮影においては、一方の放射線画像を平面視用の通常撮影された放射線画像としても利用したいため、互いに視差を有する放射線画像のうち、一方の放射線画像を被写体に対して略垂直方向から臨む基準位置、他方の放射線画像をこの基準位置から所定角度ずれた参照位置から放射線をそれぞれ照射して撮影されることがある。
【０００７】
すなわち、グリッド裏面の中央位置と基準位置とを結ぶ方向と、グリッド裏面の中央位置と参照位置とを結ぶ方向との中間方向が、グリッド表面に垂直な方向と交差するように撮影される。したがって、通常撮影用のグリッドでは、他方の放射線画像の撮影においてけられが多くなり、他方の放射線画像の画質が一方の放射線画像の画質よりも劣化してしまう。
【０００８】
立体視用の放射線画像を撮影する際に、２つの照射方向から照射された放射線のうち、グリッドを透過する直接線を同等にするために、特許文献１には、複数のＸ線源を備えた放射線撮影装置に使用されるグリッドであって、Ｘ線源の配列方向と直交する方向に間隔をあけて配置された遮蔽部材から構成される散乱線吸収グリッドが提案されている。また、特許文献２には、グリッド内に放射線吸収材料からなるくさび形のブロックを有す散乱線吸収グリッドが提案されている。また、特許文献３には、放射線源の位置に応じて遮蔽部材が可動する散乱線吸収グリッドが提案されている。
【先行技術文献】
【特許文献】
【０００９】
【特許文献１】特開２０１０−２３３９６２号公報
【特許文献２】特開２００５−１３３１１号公報
【特許文献３】特開２００９−１８３３７３号公報
【発明の概要】
【発明が解決しようとする課題】
【００１０】
しかしながら、特許文献１に提案されている散乱線吸収グリッドでは、被写体を通して視差方向成分を含む斜めの方向に散乱された散乱線を除去できないため、このような散乱線吸収グリッドを用いて撮影された立体視用の放射線画像は、視差方向の鮮鋭度が低くなり、立体視がしずらくなる虞がある。また、特許文献２に提案されている散乱線吸収グリッドでは、ブロック状の遮蔽部材によって放射線を吸収するため、吸収される直接線の量が多くなり、直接線の透過率が低減する虞がある。また、特許文献３に提案されている散乱線吸収グリッドでは、遮蔽部材を可動させる機構が必要となり、グリッド自体の大型化する虞がある。
【００１１】
本発明の目的は、上記事情に鑑み、その中間方向がグリッド表面に垂直な方向と交差する２つの照射方向から放射線を照射する立体視可能な放射線画像の撮影において、視差方向成分を含む散乱線を除去しつつ、直接線の透過率の低下およびグリッド自体の大型化を回避して両方向の直接線の透過率が同等となる散乱線吸収グリッドを提供する。
【課題を解決するための手段】
【００１２】
上記の課題を解決するために、本発明の散乱線吸収グリッドは、放射線吸収材料からなる複数の遮蔽部材がそれぞれの間に所定の間隔をあけて配置された散乱線吸収グリッドであって、その中間方向が散乱線吸収グリッドの表面に直交する方向と交差する２つの照射方向から放射線が照射されるものであり、複数の遮蔽部材が、板状部材であって中間方向を表面に投影した投影方向に間隔をあけて配置され、且つ一方の照射方向から照射された放射線のうち間隙を透過する放射線の割合と、他方の照射方向から照射された放射線のうち間隙を透過する放射線の割合とが同等となるように配置されていることを特徴とする。
【００１３】
本発明の散乱線吸収グリッドにおける「照射方向」とは、本発明の散乱線吸収グリッドに向けて放射線を照射する放射線源と散乱線吸収グリッド裏面の中央位置とを結ぶ方向を意味する。また、上記「中間方向」とは、２つの照射方向を含む平面において、２つの照射方向のなす角度を等分する方向を意味する。また、上記「透過する放射線の割合」とは、放射線源から照射された放射線の全線量に対する間隙を透過した放射線の全線量、すなわち透過率を意味する。上記「同等」とは、両照射方向の透過率が厳密に等しくなる意味に限定されず、両照射方向の透過率のうち、大きい透過率に対する小さい透過率が９０％以上１００％以下となることを含む意味である。
【００１４】
また、本発明の散乱線吸収グリッドは、各遮蔽部材が、中間方向の軸上の１点に向けて収束するように、傾けて配置されているものであってもよい。また、本発明の散乱線吸収グリッドは、２つの照射方向から照射された放射線を検出する放射線検出器の表面に一体化されているものであってもよい。また、本発明の散乱線吸収グリッドは、一方の照射方向と他方の照射方向とのなす角度が、２°〜８°の範囲であってもよく、一方の照射方向が表面に直交する方向であってもよく、他方の照射方向が、表面に直交する方向とのなす角度が４°であってもよい。
【発明の効果】
【００１５】
本発明の散乱線吸収グリッドによれば、その中間方向が散乱線吸収グリッドの表面に直交する方向と交差する２つの照射方向から放射線が照射された際、複数の遮蔽部材が、板状部材であって中間方向を表面に投影した投影方向に間隔をあけて配置され、且つ一方の照射方向から照射された放射線のうち間隙を透過する放射線の割合と、他方の照射方向から照射された放射線のうち間隙を透過する放射線の割合とが同等となるように配置されている。したがって、視差方向成分を含む斜め方向に散乱された散乱線は遮蔽部材に入射して吸収される。また、遮蔽部材が板状部材であるため、グリット板材に入射する直接線は減少する。また、遮蔽部材を可動させる必要がないため、グリッド自体が大型化することもなく両照射方向の透過率を同等にできる。
【００１６】
また、本発明の散乱線吸収グリッドによれば、各遮蔽部材が、中間方向の軸上の１点に収束するように、傾けて配置されているため、より精度良く両照射方向の透過率を同等にできる。
【００１７】
また、本発明の散乱線吸収グリッドは、２つの照射方向から照射された放射線を検出する放射線検出器の表面に一体化されているため、長時間の使用に伴う散乱線吸収グリッドと放射線検出器との位置ずれを回避でき、精度良く両照射方向の透過率を同等にできる。
【００１８】
また、本発明の散乱線吸収グリッドによれば、一方の照射方向と他方の照射方向とのなす角度が２°〜８°の範囲であるため、観察者が立体視可能な放射線画像の撮影において、両照射方向の透過率を同等にできる。
【００１９】
また、本発明の散乱線吸収グリッドによれば、一方の照射方向が、散乱線吸収グリッドの表面に直交するものであるため、一方の照射方向の撮影による放射線画像を平面視用の放射線画像として利用できる放射線撮影において、両照射方向の透過率を同等にできる。
【図面の簡単な説明】
【００２０】
【図１】放射線画像撮影表示システムの概略構成図
【図２】放射線画像撮影装置の一部正面図
【図３】コンピュータの構成を示すブロック図
【図４】散乱線吸収グリッドの構造を示す図
【発明を実施するための形態】
【００２１】
以下、図面を参照して本発明の実施形態について説明する。図１は本発明の散乱線吸収グリッドの一実施形態を用いた放射線画像撮影表示システムの概略構成図である。放射線画像撮影表示システム１００は、図１に示すように、放射線画像撮影装置１、放射線画像撮影装置１に接続されたコンピュータ２、コンピュータ２に接続されたモニタ３および入力部４を備えている。
【００２２】
最初に、放射線画像撮影装置について図１および図２を用いて説明する。図２は放射線画像撮影装置の一部正面図である。放射線画像撮影装置１は、被写体として乳房Ｍの立体視可能な放射線画像を撮影するものであり、図１に示すように、基台１１、基台１１に対し上下方向（Ｚ方向）に移動可能であり、かつ回転可能な回転軸１２および回転軸１２により基台１１と連結されたアーム部１３を備えている。
【００２３】
アーム部１３はアルファベットのＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２４】
撮影台１４の内部には、フラットパネルディテクタ等の放射線検出器１５と、放射線検出器１５からの電荷信号の読み出しを制御する検出器コントローラ３３と、乳房Ｍによって散乱された散乱線を除去する散乱線吸収グリッド５０とを備えていている。そして、撮影台１４の内部には、放射線検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。また、撮影台１４はアーム部１３に対し回転可能に構成されており、基台１１に対してアーム部１３が回転した時でも、撮影台１４の向きは基台１１に対し固定された向きとすることができる。
【００２５】
放射線検出器１５は、検出面１５ａに照射された放射線を検出するものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読み出される、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００２６】
散乱線吸収グリッド５０は、乳房Ｍで散乱された散乱線を吸収するものであり、放射線検出器１５の検出面１５ａ上に放射線検出器１５と一体化して配置されている。散乱線吸収グリッド５０の詳細な構造については後述する。
【００２７】
放射線照射部１６の内部には放射線源１７と、放射線源コントローラ３２が格納されている。放射線源コントローラ３２は、放射線源１７から放射線を照射するタイミングと、放射線源１７における放射線発生条件（管電流（ｍＡ）、照射時間（ｍｓ）、管電圧（ｋＶ）等）を制御するものである。
【００２８】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９が設けられている。圧迫板１８の位置、圧迫圧は、圧迫板コントローラ３４により制御される。
【００２９】
次にコンピュータ２について説明する。図３はコンピュータ２の概略構成を示すブロック図である。コンピュータ２は、中央処理装置（ＣＰＵ）および半導体メモリやハードディスクやＳＳＤ等のストレージデバイスなどを備えており、これらのハードウェアによって、図３に示すような制御部２ａ、放射線画像記憶部２ｂおよび表示制御部２ｃから構成されている。制御部２ａは、各種のコントローラ３１〜３４に対して所定の制御信号を出力し、装置全体の制御を行うものである。具体的な制御方法については後述する。
【００３０】
放射線画像記憶部２ｂは、互いに異なる２つの撮影方向からの撮影によって放射線検出器１５によって検出された２枚の放射線画像を記憶するものである。表示制御部２ｃは、放射線画像記憶部２ｂから読み出された２枚の放射線画像に対して所定の処理を施した後、モニタ３に乳房Ｍの立体視画像を表示させるものである。
【００３１】
次にモニタについて説明する。モニタ３は、コンピュータ２から出力された２つの放射線画像を用いて立体視可能な放射線画像を表示するように構成されたものである。モニタ３の表示の方式としては、たとえば、２つの画面を用いて２つの放射線画像をそれぞれ表示させて、これらをハーフミラーや偏光グラス等を用いることで一方の放射線画像は観察者の右目に入射させ、他方の放射線画像は観察者の左目に入射させることによって立体視画像を表示する方式を採用することができる。
【００３２】
また、２つの放射線画像を重ね合わせ、これを偏光グラスで観察することで立体視画像を表示する方式を用いてもよい。さらに、モニタ３を３Ｄ液晶により構成し、パララックスバリア方式およびレンチキュラー方式のように、２つの放射線画像を立体視可能な方式を用いてもよい。
【００３３】
次に入力部について説明する。入力部４は、たとえば、キーボードやマウス等のポインティングデバイスから構成されるものであり、撮影者による撮影条件等の入力や撮影開始指示の入力等を受け付けるものである。
【００３４】
再び図２を用いて放射線画像撮影表示システム１００の作用について説明する。まず、撮影台１４の上に乳房Ｍが設置され、圧迫板１８により乳房Ｍが所定の圧力によって圧迫される。そして、入力部４おいて、撮影者による撮影の指示が入力されて撮影を開始する。制御部２ａが、第１の撮影角度θ１および第２の撮影角度θ２をそれぞれ読み出し、読み出した第１および第２の撮影角度θ１，θ２の情報をアームコントローラ３１に出力する。
【００３５】
ここで、撮影角度θとは、撮影方向と検出面１５ａに対して直交する方向Ｖとのなす角度であり、撮影方向とは、放射線源１７の位置と検出面１５ａの中央位置とを結ぶ方向である。また、散乱線吸収グリッド５０への放射線の照射方向とは、放射線源１７の位置と散乱線吸収グリッド５０の裏面の中央位置とを結ぶ方向である。前述のとおり、散乱線吸収グリッド５０は、放射線検出器１５と一体化されているため、散乱線吸収グリッド５０の裏面の中央位置と検出面１５ａの中央位置と一致する。すなわち照射方向は撮影方向と一致するものである。
【００３６】
また、第１の撮影角度θ１に基づく撮影方向を第１の撮影方向Ｄ１、第２の撮影角度θ２に基づく撮影方向を第２の撮影方向Ｄ２とする。ここで、第１の撮影方向Ｄ１は、診断し易くするとともに平面視用の放射線撮影画像として利用可能にするため、第１の撮影角度θ１が０°近傍、たとえば０°〜２°程度の値に設定される。また、第２の撮影方向Ｄ２は第１の撮影方向Ｄ１よりも傾くため、第２の撮影角度θ２は第１の撮影角度θ１よりも大きな値に設定される。
【００３７】
すなわち、第１の撮影方向Ｄ１と第２の撮影方向Ｄ２との中間方向Ｄ３が検出面１５ａに対して直交する方向Ｖと交差する。ここで、中間方向Ｄ３は、２つの撮影方向Ｄ１，Ｄ２を含む平面において、２つの照射方向Ｄ１，Ｄ２のなす角度を等分する方向である。
【００３８】
本実施形態では、第１の撮影角度θ１として０°、第２の撮影角度θ２として４°がそれぞれデフォルトで設定されているが、第２の撮影角度θ２が第１の撮影角度θ１よりも大きければ特に限定されるものではなく、２枚の放射線画像が立体視可能な視差を有するよう、第１の撮影方向Ｄ１と第２の撮影方向Ｄ２とのなす角度が２°〜８°となるように設定されていればよい。
【００３９】
アームコントローラ３１が、第１の撮影角度θ１の情報を受け取り、図２の実線で示すような、アーム部１３が検出面１５ａに対して垂直となる制御信号を出力する。アーム部１３が、制御信号を受け取り、検出面１５ａに対して垂直な姿勢となる。この第１の撮影角度θ１に基づいた放射線源１７の位置をＰ１とする。制御部２ａは、放射線源コントローラ３２および検出器コントローラ３３に対して放射線の照射と放射線画像信号の読出を行う制御信号を出力する。
【００４０】
この制御信号に応じて、放射線源１７が乳房Ｍに第１の撮影方向Ｄ１から放射線を照射する。散乱線吸収グリッド５０が乳房Ｍで散乱された散乱線を吸収する。放射線検出器１５が、乳房Ｍで散乱されず直線的に検出面１５ａに入射した放射線を検出する。放射線検出器１５から放射線画像信号が読み出され、制御部２ａが放射線画像信号をモニタ３に送信する。
【００４１】
アームコントローラ３１が、第２の照射角度θ２の情報を受け取り、図２の二点鎖線で示すような、アーム部１３が検出面１５ａの垂直方向に対して４°傾いた姿勢となる制御信号を出力する。この第２の照射角度θ２に基づいた放射線源１７の位置をＰ２とする。制御部２ａは、放射線源コントローラ３２および検出器コントローラ３３に対して放射線の照射と放射線画像信号の読出を行う制御信号を出力する。
【００４２】
この制御信号に応じて、放射線源１７が乳房Ｍに第２の照射方向Ｄ２で放射線を照射する。散乱線吸収グリッド５０が乳房Ｍで散乱された散乱線を吸収する。放射線検出器１５が、乳房Ｍで散乱されず、直線的に検出面１５ａに入射する放射線を検出する。放射線検出器１５から放射線画像信号が読み出され、制御部２ａが放射線画像信号をモニタ３に送信する。
【００４３】
モニタ３が、観察者が乳房Ｍの放射線画像を立体視できるよう、放射線画像信号に基づいて２枚の放射線画像をそれぞれ表示する。モニタ３は撮影条件、患者情報等を表示する。
【００４４】
本発明の一実施形態である散乱線吸収グリッド５０について説明する。図４は散乱線吸収グリッド５０の概略構成図である。散乱線吸収グリッド５０は、図４に示すように、放射線吸収材料からなる複数の遮蔽部材５１と、放射線透過材料からなる充填材５２とから主に構成されている。図４においては、撮影台１４、放射線検出器１５、放射線源１７および散乱線吸収グリッド５０についてのみ図示し、他の部材については省略している。また、図４においては、乳房Ｍは撮影台１４に設置されていない。
【００４５】
遮蔽部材５１は、厚さが０．１ｍｍ程度、高さが３〜１５ｍｍ程度、幅が４５０ｍｍ程度の板状部材であり、粉体状の単体、または粉体状の鉛酸化物、ビスマス化合物、あるいは他の重金属化合物などを溶液に混合して有機ポリマーを結合材（バインダ）とする溶液にして、この溶液を平面上に塗布して薄板に形成した材料や、鉛箔、タンタル、ビスマス等の薄板の単体材料によって形成されている。充填材５２には、発泡性樹脂、たとえば発泡ポリスチレン、発泡ポリプロポピレン、発泡ポリウレタン等で形成されている。
【００４６】
散乱線吸収グリッド５０は、所定の間隔をあけて形成されている複数の係止溝を有する不図示の支持部材を備えている。この複数の係止溝に各遮蔽部材５１を挿入して係止させることで各遮蔽部材５１が所定の間隙をあけて配置される。各遮蔽部材５１は、中間方向Ｄ３（図２）をグリッドの表面に投影した投影方向に所定の間隔をあけて配置される。
【００４７】
また、各係止溝は所定の傾きを有しており、第１の撮影方向Ｄ１から放射線を照射した際の透過率と、第２の撮影方向Ｄ２から放射線を照射した際の透過率とが同等となるよう、各遮蔽部材５１が傾いて立設している。各遮蔽部材５１は、第１の撮影方向Ｄ１の透過率に対する第２の撮影方向の透過率が９０〜１００％程度となるように、傾いて立設している。充填材５２が各遮蔽板材５１の間隙を充填する。
【００４８】
各遮蔽部材５１は、図４に示すように、第１の撮影位置Ｐ１と第２の撮影位置Ｐ２との中間位置Ｐ３にある放射線源１７に収束するように傾いて配置されている。ここで、中間位置Ｐ３は、散乱線吸収グリッド５０の裏面の中央位置を通る中間方向Ｄ３の軸線上の１点である。各遮蔽部材５１は、中間位置Ｐ３にある放射線源１７から直線的に放射線検出器１５に入射する直接線Ｒを吸収しないように配置されている。
【００４９】
このように、散乱線吸収グリッド５０は、放射線吸収材料からなる複数の遮蔽部材５１がそれぞれの間に所定の間隔をあけて配置されたものであって、複数の遮蔽部材５１が、散乱線吸収グリッド５０の表面に直交する方向に対して傾いた方向であって、散乱線吸収グリッド５０の裏面の中央位置を通る軸線上の１点に収束するように配置されたものである。
【００５０】
上記の実施形態によれば、各遮蔽部材５１が、中間方向Ｄ３を散乱線吸収グリッド５０の表面に投影した投影方向に間隔をあけて配置され、第１の撮影方向Ｄ１から放射線を照射した際の透過率と、第２の撮影方向Ｄ２から放射線を照射した際の透過率とが同等となるように配置されているため、視差方向成分を含む斜め方向に散乱された散乱線も遮蔽部材５１に入射するため吸収できる。また、遮蔽部材５１が板状部材であるため、遮蔽部材５１に入射する直接線Ｒを低減できる。また、遮蔽部材５１を可動させることなく両照射方向Ｄ１，Ｄ２の直接線Ｒの透過率を同等にできる。
【００５１】
また、上記の実施形態によれば、各遮蔽部材５１が、第１および第２の撮影方向Ｄ１，Ｄ２の中間方向Ｄ３に収束するように傾けて配置されることにより、第１の撮影方向Ｄ１の直接線Ｒの入射方向と各遮蔽部材５１の立設方向とのずれが、第２の撮影方向Ｄ２の直接線Ｒの入射方向と各遮蔽部材５１の立設方向とのずれと等しくなり、より精度良く両撮影方向Ｄ１，Ｄ２の直接線Ｒの透過率を同等にできる。
【００５２】
また、上記の実施形態によれば、散乱線吸収グリッド５０は、放射線検出器１５と一体化されているため、長時間の使用に伴う散乱線吸収グリッドと放射線検出器との位置ずれを回避でき、精度良く両照射方向の透過率を同等にできる。また、上記の実施形態によれば、両方の撮影方向Ｄ１，Ｄ２とのなす角度が２°〜８°の範囲であるため、観察者が立体視可能な放射線画像の撮影において、両照射方向の透過率を同等にできる。また、上記の実施形態によれば、第１の撮影角度θ１が０°であるため、第１の撮影方向Ｄ１で撮影された放射線画像を平面視用の放射線画像として利用できる放射線撮影においても、両撮影方向Ｄ１，Ｄ２の直接線Ｒの透過率を同等にできる。
【００５３】
なお、上記の実施系形態において、被写体を乳房Ｍとして説明したが、特に限定されるものではなく、肺や胃等の部位を撮影するものであってもよい。また、上記の実施形態において、散乱線吸収グリッド５１が異なる２つの撮影方向から放射線を照射して撮影する放射線撮影装置に適用して説明したが、特に限定されるものではなく、トモシンセシス撮影、ＣＴ撮影に適用するものであってもよい。
【符号の説明】
【００５４】
Ｄ１  第１の撮影方向（一方の照射方向）
Ｄ２  第２の撮影方向（他方の照射方向）
Ｄ３  中間方向
５０  散乱線吸収グリッド
５１  遮蔽部材
【図１】
2012205782.tif 000003
【図２】
2012205782.tif 000004
【図３】
2012205782.tif 000005
【図４】
2012205782.tif 000006